Podtech/llm-jp-corpus-v4-ja_patent huggingface dataset:
(57)【要約】      （修正有）【課題】雑草や芝の刈り込みにおいて、硬い草でも刈取ることができるノコギリ歯付往復刈刃を提供する。【解決手段】往復型草刈装置用の往復刈刃において、上面歯Ａと側面歯Ｂ，Ｃとからなる刈刃部にノコギリ歯形の歯を設け、上面歯Ａではノコギリの動作で草を刈取り、側面歯Ｂ、Ｃではバリカンの動作であるせん断力で草を刈取ることが出来るように構成したことを特徴とするノコギリ歯付往復刈刃である。【選択図】図２
0003149208.tif 000002
【実用新案登録請求の範囲】
【請求項１】
往復型草刈装置用の往復刈刃において、Ａ，Ｂ，Ｃ刈刃部にノコギリ歯形の歯を設け、Ａ上面歯ではノコギリの動作で草を刈取り、Ｂ、Ｃ側面歯ではバリカンの動作であるせん断力で草を刈取ることが出来るように構成したことを特徴とするノコギリ歯付往復刈刃。
【考案の詳細な説明】
【技術分野】
【０００１】本考案は田んぼの畦や用水路等の雑草、芝の刈り込み、等に使用される往復型草刈装置用の往復刈刃における刈刃の形状に関するものである。
【背景技術】
【０００２】従来のバリカン刈刃は加工が困難のため、刈刃先端部に刃を加工せずに両側面だけに刃を設けたバリカン刈刃が存在していた。
【考案の開示】
【考案が解決しようとする課題】
【０００３】往復刈刃で草を刈る場合、刈刃先端部は、草刈性能に大きな影響を及ぼす要素になっている。故に、刈刃先端部に刃を設けることが重要な課題となっている。
【課題を解決するための手段】
【０００４】往復型草刈装置用の往復刈刃において、刈刃部にノコギリ歯形の歯を設け、上面歯ではノコギリの動作で草を刈取り、側面歯ではバリカンの動作であるせん断力で草を刈取ることが出来るように構成し課題を解決しようとするものである。
【考案の効果】
【０００５】本考案のノコギリ歯付往復刈刃は、刈刃部にノコギリ歯形の歯を採用することにより、従来のバリカン刈刃では不可能であった硬い草（例えば、セイタカアワダチ草、等）も刈取る事が出来るようになる効果がある。
【考案の実施するための最良の形態】
【０００６】本考案のノコギリ歯付往復刈刃は、Ａ上面歯ではノコギリの動作で草を刈取り、Ｂ、Ｃ側面歯ではバリカンの動作であるせん断力で草を刈取ることが出来るので最良の形態を持った刈刃となる。
【実施例】
【０００７】以下、添付図面に従って一実施例を説明する。図１で示した通り、Ｍは本考案の往復型草刈装置の外観で、１は草刈機の駆動軸及び操作桿を接続するための操作桿取付部材で草刈機動力部（図示せず）と接続する。１操作桿取付部材と２往復刈刃装置本体とは回動自在になっており、刈刃の角度を適宜に変えることにより、草刈作業を楽な姿勢で出来るように構成されている。図１、図２、で示した通り、３、４はノコギリ歯付往復刈刃部材であり、実施例の往復型草刈装置は、回転動力を各偏心カム（図示せず）から各往復部材（図示せず）に１８０度の位相を違えた往復部材に往復動力を伝達するように構成されている。各往復部材に取付けた３，４ノコギリ歯付往復刈刃部材はＡ上面歯、Ｂ、Ｃ側面歯のノコギリ歯で構成されていて、草刈が出来るようになっている。図３はノコギリ歯の一実施例でＢ、Ｃ側面歯はＡ上面歯と形状を異にしている。尚、図４、図５、図６はノコギリ歯の他の実施例であり、図６に示したＡ上面歯が無い場合はＢ，Ｃ側面歯のＢａ、Ｃａ先端部が上面歯となる。
【図面の簡単な説明】
【０００８】
【図１】本考案を実施した往復型草刈装置の側面図
【図２】ノコギリ歯付往復刈刃部材の平面図
【図３】ノコギリ歯の一実施例
【図４】ノコギリ歯の他の実施例
【図５】ノコギリ歯の他の実施例
【図６】ノコギリ歯の他の実施例
【図７】従来のバリカン刈刃の実施例
【符号の説明】
【０００９】  １    操作桿取付部材
２    往復刈刃装置本体
３    ノコギリ歯付往復刈刃部材
４    ノコギリ歯付往復刈刃部材
Ａ    上面歯
Ｂ    側面歯
Ｃ    側面歯
【図１】
0003149208.tif 000003
【図２】
0003149208.tif 000004
【図３】
0003149208.tif 000005
【図４】
0003149208.tif 000006
【図５】
0003149208.tif 000007
【図６】
0003149208.tif 000008
【図７】
0003149208.tif 000009
【手続補正書】
【提出日】平成20年12月15日(2008.12.15)
【手続補正１】
【補正対象書類名】実用新案登録請求の範囲
【補正対象項目名】全文
【補正方法】変更
【補正の内容】
【実用新案登録請求の範囲】
【請求項１】
往復型草刈装置用の往復刈刃において、上面歯Ａと側面歯Ｂ，Ｃとからなる刈刃部にノコギリ歯形の歯を設け、上面歯Ａではノコギリの動作で草を刈取り、側面歯Ｂ、Ｃではバリカンの動作であるせん断力で草を刈取ることが出来るように構成したことを特徴とするノコギリ歯付往復刈刃。
(57)【要約】      （修正有）【課題】飛行機の中や災害の時などの限られたスペースで、エコノミー症候群対策運動ができるふくらはぎ帯を提供する。【解決手段】この器具は手動により圧縮空気を送り込み、静かに使えて、電源や電池を必要とせず、手を使うことで、老化防止効果もあるエコノミー症候群対策用袋帯である。空気を抜けば小さくなり携帯に適す。手入れも簡単、電力を使用しない為、低コストで使用できる。ふくらはぎに袋帯を装着し、ゴム球を手で収縮と拡張を繰り返し連動しているパイプで空気を袋帯に送ることで、血液の循環を促進する。【選択図】図１
0003149204.tif 000002
【実用新案登録請求の範囲】
【請求項１】
ふくらはぎに袋帯を巻いて、収縮と拡張により、血液の流れを促す。
刺激を与える部分をふくらはぎにすると、脚の血流に対し非常に効果があるし、ズボン、スラックスやストッキングの上に装着できるので使用が簡単、しかも清潔である。
【請求項２】
両手でゴム球を扱うので、指の運動による脳への刺激ができ、良い退屈しのぎにも
なる
静かに使用することができるので、隣に気を使わなくてすむ上に、旅行用として持      
ち運びが簡単である。
【考案の詳細な説明】
【技術分野】
【０００１】
袋帯には小さい穴を開ける。忘れて装着したままでも安全である。
【背景技術】
【０００２】
従来の足の裏を揉みほぐす道具は人前での使用や、飛行機の中や、車内での使用は周囲の人に迷惑がかかるなどの問題点があった。また電池などのエネルギー源が必要で道具が重たくなるなど、携帯に適さない問題があった。    
【考案の開示】
【考案が解決しようとする課題】
【０００３】
飛行機の中や地震の時などの限られたスペースで、エコノミー症候群対策運動をしたい。
【課題を解決するための手段】
【０００４】
ふくらはぎに袋帯を装着し、ゴム球を手で収縮と拡張を繰り返し連動しているパイプで空気を袋帯に送ることで、血液の循環を促進する。
【考案の効果】
【０００５】
ふくらはぎは人の第二の心臓と言われています。ふくらはぎを揉み解すことにより、エコノミー症候群の解決を図る。
【考案を実施するための最良の形態】
【０００６】
簡単に持ち運びできる袋帯で、動力は手の力のみで実現。
【産業上の利用可能性】
【０００７】
飛行機と地震の時
【図面の簡単な説明】
【０００８】
【図１】ふくらはぎ帯本体の全体
【図２】人体に装着した状態図
【符号の説明】
【０００９】
１  袋帯本体
２  空気袋
３  二股プラグ
４  空気の出入り調整の可能なコック付ゴム球
５  弁を開いた送気だけのゴム球
６  コック
【図１】
0003149204.tif 000003
【図２】
0003149204.tif 000004
【手続補正書】
【提出日】平成21年1月16日(2009.1.16)
【手続補正１】
【補正対象書類名】実用新案登録請求の範囲
【補正対象項目名】全文
【補正方法】変更
【補正の内容】
【実用新案登録請求の範囲】
【請求項１】
袋帯１に取り付けた空気袋２と空気の出入りの調節可能なコック６付ゴム球４と空気袋に空気を送気だけのゴム球５と、二股プラグ３によって、ゴム球から空気を送り、袋帯に小さな穴を開け、空気を長く貯めない機能を有することを特徴とするふくらはぎ帯。
【請求項２】
袋帯本体１に取り付けた空気袋２部分、二股プラグ３部分、空気の出入り調整可能なコック６付ゴム球４部分、送気だけのゴム球５部分、に分割可能とすることを特徴とする請求項１に記載のふくらはぎ帯。
(57)【要約】      （修正有）【課題】食品用及び飲料用並びに医療用の容器に使用する、植物原料製の容器に関するものであり、容器の内外面に工夫を加える事によって、容器に盛った食物に容器内面から出る不純成分等を付着させず、液状の水分・汁等の漏れを防止し、重さの軽い容器を提供する。【解決手段】植物原料製の容器１０の面に穴３を設け、内面にフイルムシート１を貼付し、用途に応じて、外面にもフイルムシート２を貼付する事により、この課題を解決する。【選択図】図１
0003149202.tif 000002
【実用新案登録請求の範囲】
【請求項１】
植物原料製の容器に、丸形の穴を整列又はジグザグかランダムに設けて、容器の内面又は両面にフイルムシートを貼付する事を特徴とする、植物原料製の容器である。
【請求項２】
請求項１に記載の植物原料製の容器に於いて、前述の通りに穴の形状のみを、三角形・四角形・五角形・六角形及び多角形の穴にする事を特徴とする、植物原料製の容器である。
【請求項３】
請求項１又は２に記載の植物原料製の容器に於いて、前述の通りに穴の形状のみを、長方形又は台形の穴にする事を特徴とする、植物原料製の容器である。
【請求項４】
請求項１又は２及び３に記載の植物原料製の容器に於いて、前述の通りに穴の形状のみを、幾何学模様の穴にする事を特徴とする、植物原料製の容器である。
【考案の詳細な説明】
【技術分野】
【０００１】  本考案は、食品用及び飲料用並びに医療用の容器に使用する、植物原料製の容器に関するものであり、容器の内外面に工夫を加える事によって、容器に盛った食物に容器内面から出る不純成分等を付着させず、液状の水分・汁等の漏れを防止し、容器の重さを軽くする技術に関するものである。
【背景技術】
【０００２】  従来の植物原料製の容器で、籾殻・竹・木等の粉末で成形した容器の物は、耐水性が悪い上に、重量が重いなどの問題があった。
【考案の開示】
【考案が解決しようとする課題】
【０００３】    植物原料製の容器で、前述の容器に於いては、食物を盛った場合等に容器の内面が侵されて、食物に容器の成分等が付着したり、水分や汁等の液体を入れた場合に於いても、容器の成分が混入する等の不純さがあったり、容器が重い等の問題を解決する事を課題とする。
【課題を解決するための手段】
【０００４】    そこで、植物原料製の容器の面に穴を設け、其の面の内又は外面にフイルムシートを貼付することで、問題を解決する。
【考案の効果】
【０００５】    本考案により、植物原料製の容器は、食物や液体物を入れても、直接容器に接することがないため、安心安全性が増し、重量も軽くなり原材料も節約出来るなど効果は多大である。
【考案を実施するための最良の形態】
【０００６】      本考案に係る植物原料製の容器１０は、図１に示すように、容器１０に穴３を設け内面にフイルムシート１を貼付し、容器１０の用途に応じて、外面にもフイルムシート２を貼付しても可である。穴の大きさは、箸を使用する容器の場合は、箸の先端の大きさより小さいのが好ましい。また、内面及び外面に貼付するフイルムシートは、生分解有機フイルムシートが好ましい。
【図面の簡単な説明】
【０００７】
【図１】本考案に係る植物原料製容器の、部分断面を示した椀の一例の正面図である。
【図２】本考案に係る植物原料製容器に、設ける穴形状の丸型の整列模様図である。
【図３】本考案に係る植物原料製容器に、設ける穴形状の長方形の整列模様図である。
【図４】本考案に係る植物原料製容器に、設ける穴形状の四角形のジグザグ模様図である。
【図５】本考案に係る植物原料製容器に、設ける穴形状の六角形のジグザグ模様図である。
【符号の説明】
【０００８】        １・・・内面に貼付したフイルムシート
２・・・外面に貼付したフイルムシート
３・・・容器に設けた穴
１０・・・植物原料製の容器
【図１】
0003149202.tif 000003
【図２】
0003149202.tif 000004
【図３】
0003149202.tif 000005
【図４】
0003149202.tif 000006
【図５】
0003149202.tif 000007
【手続補正書】
【提出日】平成20年12月15日(2008.12.15)
【手続補正１】
【補正対象書類名】実用新案登録請求の範囲
【補正対象項目名】全文
【補正方法】変更
【補正の内容】
【実用新案登録請求の範囲】
【請求項１】
植物原料製の容器に、丸形状の穴を整列又はジグザグかランダムに設けて、容器の内面又は両面にフイルムシートを貼付する事を特徴とする、植物原料製の容器。
【請求項２】
植物原料製の容器に、三角形状・四角形状・五角形状・六角形状のいずれかの形状の穴又は、多角形状のいずれか一種類の形状の穴を、整列又はジグザグかランダムに設けて、容器の内面又は両面にフイルムシートを貼付する事を特徴とする、植物原料製の容器。
【請求項３】
植物原料製の容器に、長方形状の穴又は台形状の穴のいずれかの形状の穴を、整列又はジグザグかランダムに設けて、容器の内面又は両面にフイルムシートを貼付する事を特徴とする、植物原料製の容器。
【請求項４】
植物原料製の容器に、幾何学模様形状の穴を整列又はジグザグかランダムに設けて、容器の内面又は両面にフイルムシートを貼付する事を特徴とする、植物原料製の容器。
(57)【要約】      （修正有）【課題】ペットが視界をさえぎられたり息苦しくて不快な思いをすることがなくなり、安心してペットと飼い主が共に温まる事ができるひざ掛けを提供する。【解決手段】ひざ掛けの中央付近にペットの頭の大きさ程度の穴を開けることで、ペットの頭がその穴を通り、視界をさえぎられたり息苦しくて不快な思いをすることがなくなり、ひざ掛けをいたずらすることがなくなりペットと一緒にひざ掛けを使うことが出来る。【選択図】図１
0003149207.tif 000002
【実用新案登録請求の範囲】
ひざ掛けに適した素材および形状の中央付近にペットの頭の大きさ程度の穴を開けた、飼い主とペットが供に安心して温まる事ができるひざ掛け。
【考案の詳細な説明】
【技術分野】
【０００１】  本考案はペットと供に膝かけを利用する際、ペットと飼い主が共に温まることができ快適に過ごせる膝かけに関する。
【考案の開示】
【考案が解決しようとする課題】
【０００２】  従来のひざ掛けはペットを膝に乗せたままひざ掛けを利用しようとするとペットがいたずらをして使えない問題があった。【０００３】  本考案はこのような従来の構成が有していた問題を解決しようとするものであり、ペットが視界をさえぎられたり息苦しくて不快な思いをすることがなくなり、安心してペットと飼い主がひざ掛けのぬくもりで温まることが出来ることを目的とするものである。
【課題を解決する為の手段】
【０００４】そして、本考案は上記目的を達成する為にひざ掛けの中央付近にペットの頭の大きさ程度の穴を開けることで利用する。
【０００５】  上記第１の課題解決手段による作用は次の通りである。
ひざ掛け使用時ペットが視界をさえぎられたり息苦しくて不快な思いをすることがなくなり、安心してペットと飼い主がひざ掛けのぬくもりで温まることが出来る。
【考案の効果】
【０００６】  上述したように本考案のひざ掛けは、ペットと共にひざ掛けを使用する際、ペットが視界をさえぎられたり息苦しくて不快な思いをすることがなくなり、安心してペットと飼い主がひざ掛けのぬくもりで温まることが出来、かつ暖房器具の光熱費の削減にもつながる。
【０００７】  以下、本考案の実施の形態を図に基づいて説明する。
【０００８】  図１においては１はひざ掛けに適応した素材及び形状のもの。２はペットの頭が通る為の穴。
【図面の簡単な説明】
【０００９】
【図１】本考案の実施形態を示す上部から見た図
【図１】
0003149207.tif 000003
【手続補正書】
【提出日】平成21年1月7日(2009.1.7)
【手続補正１】
【補正対象書類名】実用新案登録請求の範囲
【補正対象項目名】全文
【補正方法】変更
【補正の内容】
【実用新案登録請求の範囲】
【請求項１】
ひざ掛けに適した素材および形状の中央付近にペットの頭の大きさ程度の穴を開けた、飼い主とペットが供に安心して温まる事ができるひざ掛け。
(57)【要約】      （修正有）【課題】一定間隔で固定して掛けられる上、洗濯ばさみ・クリップ等も自在に固定止めでき、また両壁等の間にも突っ張り止めして自在に設置できるハンガー掛けを提供する。【解決手段】所望等間隔に所望数のハンガー穴１を開けた上、補強に補強梁４を成した、長尺板の等間隔ハンガー掛け２が、一般的に知られる伸縮自在棒３に一体化したもので、伸縮自在棒３に一体化せず、等間隔ハンガー掛け２のみの単体品とすることもできる。【選択図】図１
0003149203.tif 000002
【実用新案登録請求の範囲】
【請求項１】
所望等間隔に所望数のハンガー穴１を開けた上、補強に補強梁４を成した、長尺板の等間隔ハンガー掛２が、一般的に知られる伸縮自在棒３に一体化した等間隔ハンガー掛け付伸縮自在棒。
【請求項２】
伸縮自在棒３を一体化しない、請求項１に係る等間隔ハンガー掛けのみの単体としたもの。
【考案の詳細な説明】
【技術分野】
【０００１】  本考案は、一般的に突っ張り棒で知られる伸縮自在棒と、主に竿付属用品として一般的に知られる、等間隔ハンガー掛けとを合体したものに関する。
【背景技術】
【０００２】  伸縮自在棒は、長さを自在に調整できる上、両壁等の間に突っ張り止めできる丸棒であり、等間隔ハンガー掛けは、ハンガーを等間隔で多数固定して吊るせる竿物である。
【考案が解決しようとする課題】
【０００３】  伸縮自在棒は、一定間隔でハンガーを固定して掛けることができないので、外力や風等によって動いたり吹き寄せられ、ハンガー物が片寄ったり重なってしまう。また等間隔ハンガー掛けは、伸縮自在にしたり、壁と壁の間等に突っ張り止めできないので、これら２つの機能を一体化することにより、前述の両者の欠点を解決しようとするものである。
【課題を解決するための手段】
【０００４】  本考案は、所望等間隔に所望数のハンガー穴１を開けた上、補強に補強梁４を成した、長尺板の等間隔ハンガー掛け２が、一般的に知られる伸縮自在棒３に一体化することにより、問題点を解決している。また等間隔ハンガー掛け２のみの単体品としても、様々な用い方が可能である。
【考案の効果】
【０００５】  上述の様に本考案は、両壁等の間に突っ張り止めできる効果があり、またハンガーを一定間隔で固定して吊るせるので、ハンガーの片寄り・重なり・落下を生じない上、ハンガー物の型くずれ防止や、均一に風通しでき乾燥に良い等の効果があり、さらに補強梁４に洗濯ばさみやクリップで、小物類も自在に固定止めできる効果がある。
【考案を実施するための最良の形態】
【０００６】  図１に示すように、ハンガーのフックが容易にはまる大きさのハンガー穴１を、所望一定間隔で一列に所望数開けた、長尺板状の等間隔ハンガー掛け２には、さらに下端に小丸棒の補強梁４を凸に成して等間隔ハンガー掛け２の補強、兼洗濯ばさみ・クリップ固定止めとなり、また天端に伸縮自在棒３にピッタリ添う円弧受け５を成した上、接着剤・両面粘着テープ・ビス打ち等で伸縮自在棒３に一体化して、両壁等の間に突っ張り止めで自在に設置可能としたものである。
【実施例】
【０００７】  また伸縮自在棒３と等間隔ハンガー掛け２を一体化するに当たっては、後述の様々な方法があり添付図面に従って説明する。まず図２に示すように、円弧受け５を取った等間隔ハンガー掛け２と、伸縮自在棒３を一体成型することもでき、また図３に示すように、円弧受け５を伸縮自在棒３にほぼちょうどはまる円筒６にして、スッポリはめ込んで一体化することもでき、その展開として図４に示すように、円筒６の一部を開いた、引っ掛け７にして一体化することもできる。さらに図５に示すように、円弧受け５の真下に通し穴８を開け、そこに輪っか９や結束バンド等を通して、伸縮自在棒３に巻き付けて一体化することもでき、これら以外にもあらゆる方法での一体化により実施できる。【０００８】  また伸縮自在棒３と一体化せずに、等間隔ハンガー掛け２のみの単体品で用いたり、洗濯竿・陳列具・パイプ・ロープ等にも一体化して用いることもできる。【０００９】  さらに図２以外では、伸縮自在棒３の長さに合わせた等間隔ハンガー掛け２にせず、短物にして何枚にも分けて一体化することもできるし、その場合は、さらに伸縮パイプ１０部にも一体化できる。またハンガー穴１は丸穴に限らず自由な形にすることもでき、補強梁４も小丸棒に限らず自由な形にでき、無くすこともできるが、洗濯ばさみやクリップ固定止めとして欲しい場合は、溝筋や引っ掛け切り込み等の適当な形にして設けることもできる。【００１０】  本考案の実施例は、上述の如き構成からなるものであるから、売場陳列・物干場・室内・クローゼット・暖房乾燥機付バスルーム等、あらゆる場所で突っ張り止めによっても設置でき、衣類をはじめ、くつ下・タオル・ハンカチ等の小物類等を、片寄り・重なり・落下等の心配無く、常に最適間隔を保って吊るすことができる。
【産業上の利用可能性】
【図面の簡単な説明】
【００１１】
【図１】  本考案の等間隔ハンガー掛け付伸縮自在棒３の、接着による一体化の一実施例を示す斜視図である。
【図２】  本考案の等間隔ハンガー掛け付伸縮自在棒の、一体成型による一体化の一実施例を示す斜視図である。
【図３】  本考案の等間隔ハンガー掛け付伸縮自在棒の、円筒６によるはめ込み一体化の一実施例を示す斜視図である。
【図４】  本考案の等間隔ハンガー掛け付伸縮自在棒の、引っ掛け７による一体化の一実施例を示す斜視図である。
【図５】  本考案の等間隔ハンガー掛け付伸縮自在棒の、輪っか９による一体化の一実施例を示す斜視図である。
【符号の説明】
【００１２】  １  ハンガー穴
２  等間隔ハンガー掛け
３  伸縮自在棒
４  補強梁
５  円弧受け
６  円筒
７  引っ掛け
８  通し穴
９  輪っか
１０  伸縮パイプ
【図１】
0003149203.tif 000003
【図２】
0003149203.tif 000004
【図３】
0003149203.tif 000005
【図４】
0003149203.tif 000006
【図５】
0003149203.tif 000007
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
長尺板に所望等間隔で所望数のハンガー穴（１）を開けた上、補強のために補強梁（４）を成した等間隔ハンガー掛け（２）。
【請求項２】
請求項１記載の等間隔ハンガー掛（２）を、突っ張り棒の伸縮自在棒に一体化した等間隔ハンガー掛付伸縮自在棒。
(57)【要約】【課題】表面仕上げ作業が容易で、すわり安定性の高い位牌の提供を目的とする。【解決手段】札板と台座とを一体的に製作してあり、台座にすわり安定性を向上するためのウエイト部材を取り付けたことを特徴とする。【選択図】  図１
0003153205.tif 000002
【実用新案登録請求の範囲】
【請求項１】
札板と台座とを一体的に製作してあり、
台座にすわり安定性を向上するためのウエイト部材を取り付けたことを特徴とする位牌。
【請求項２】
ウエイト部材は台座の内部に設けてあることを特徴とする請求項１記載の位牌。
【請求項３】
ウエイト部材を取り付けない状態にて、
札板の重心を通る垂線と台座の重心を通る垂線とが左右又は／及び前後方向にずれていることを特徴とする請求項１又は２記載の位牌。
【請求項４】
札板と台座とのつなぎ部が曲面形状になっていることを特徴とする請求項１〜３のいずれかに記載の位牌。
【考案の詳細な説明】
【技術分野】
【０００１】
本考案は、位牌の形状及び構造に関する。
【背景技術】
【０００２】
位牌は、故人の戒名、法名等を表した札板と、この札板を立てる台座とから成り立っているのが一般的である。
札板に戒名、法名等を表す方法としては、札板の表面に彫刻したり、文字を描いたりする各種方法があるが、いずれの場合にもその作業がしやすいように札板と台座が分離していた（特許文献１）。
しかし、札板を後から台座に取り付ける構造では、札板と台座との連結部に段差ができるためにその後に漆塗り等の表面仕上げが大変であった。
また、後から差し込み連結する場合に差し込み用の突片と孔部との寸法精度にバラツキが生じると連結不良となるものであった。
さらには、台座を小さくしたり、札板の台座への取付け位置を中心からずらすとすわり安定性が悪い問題もあった。
【先行技術文献】
【特許文献】
【０００３】
【特許文献１】実用新案登録第３１４１０１７号公報
【考案の開示】
【考案が解決しようとする課題】
【０００４】
本考案は、表面仕上げ作業が容易で、すわり安定性の高い位牌の提供を目的とする。
【課題を解決するための手段】
【０００５】
本考案に係る位牌は、札板と台座とを一体的に製作してあり台座にすわり安定性を向上するためのウエイト部材を取り付けたことを特徴とする。
札板と台座とを一体的に製作してあるものであれば木製、樹脂製、ガラス製、軽合金製等材質は問わない。
また、原材料の段階では複数の部材を接合又は貼り合せたものであっても、切削等の位牌製作時に一体的に製作する場合も本願に含まれる。
【０００６】
ウエイト部材は、すわり安定性を目的とするものであり、一体的に製作した札板と台座の材質よりも比重が大きいものであればよい。
【０００７】
ウエイト部材は、台座の底面に取り付けてもよいが台座の内部に設けるのが外部から見えなくてよい。
【０００８】
本考案に係る位牌にあっては、台座にウエイト部材を取り付けたことにより、すわり安定性が向上し、ウエイト部材を取り付けない状態にて、札板の重心を通る垂線と台座の重心を通る垂線とが左右又は／及び前後方向にずれていてもよい。
【０００９】
本考案に係る位牌にあっては、漆塗り等の表面仕上げがしやすいように、札板と台座とのつなぎ部が曲面形状になっているのが好ましい。
ここで、つなぎ部が曲面形状とは、つなぎ部がＲ形状になっていればよく、札板の平面部と台座の平面部とを一体的につなぎ製作する際に、つなぎコーナー部がＲ形状になっているものでもよい。
【考案の効果】
【００１０】
本考案に係る位牌は札板と台座が一体的になっているので製作しやすく、しかも、札板と台座とのつなぎ部が曲面形状になっていると、表面仕上げ作業も容易になる。
ここで、札板と台座とのつなぎ部に直線的な段差がなければよい趣旨で、例えば後面が平面で一体的につながっていてもよい。
【００１１】
また、台座にウエイト部材を取り付けたことにより、すわり安定性が向上し、札板の重心を通る垂線と台座の重心を通る垂線にずれがあっても倒れ難いので位牌の形状の自由度が高く、デザイン性に優れた位牌になる。
【図面の簡単な説明】
【００１２】
【図１】本考案に係る位牌の斜視図を示す。
【図２】位牌の正面図を示す。
【図３】位牌の側面図を示す。
【考案を実施するための最良の形態】
【００１３】
図１に本考案に係る位牌１０の実施例における斜視図を示し、図２は正面図、図３は側面図をそれぞれ示す。
位牌１０は札板１１と台座１２とを一体的に製作してある。
本実施例は、木で製作した例であり、札板１１と台座１２とのつなぎ部１４は正面部及び側面部とも曲面形状になっていて、段差部のない滑らかな表面形状になっている。
これにより、表面形状に沿って滑らかに、はけ塗り等が容易になり、漆塗り等の表面仕上げ品質が向上する。
なお、台座の形状や札板の形状も直線的な段差部がなく、曲面形状で製作されているのが好ましい。
【００１４】
台座１２は、側面１２ｄから挿入孔１３ａを削孔し、その中に金属製のウエイト部材１３を挿入した後に詮部材１３ｂを圧入又は接着することでウエイト部材１３を台座１２の中に埋め込んだ例となっている。
このようにすると台座１２の底面１２ｄを表面仕上げすることで、外部からウエイト部材１３が見えなく、見映えもよい。
【００１５】
本考案においては、台座１２にウエイト部材１３を取り付けたので、例えば図３に示すように札板１１の表面１１ａ及び側面１１ｂと台座１２の表面１２ａ及び側面１２ｂとを曲面でつなぎ、札板１１の後面１１ｃと台座１２の後面１２とを平面的につなぐことで札板１１の重心を通る垂線１１ｇがウエイト部材の無い状態での台座１２の重心を通る垂線１２ｇとが前後方向にずれ、札板１１の重心が台座の重心よりも後方になってもウエイト部材１３が存在することから、後側に倒れにくくなっている。
また、後面１１ｃ，１２ｃが平らなので札板の表面に法名等を描きやすい。
従って、札板１１と台座１２との外形形状をデザインするにあたり、ウエイト部材が無い状態で倒れやすいものでもよく、デザイン性を重視した位牌を製作することができる。
ウエイト部材の取り付け位置（埋め込み位置）は、完成後の位牌全体の重心を考慮して大きさや位置を設定すればよい。
よって、本実施例に限定されるものではなく、本考案の趣旨の範囲で位牌の形状を自由に設計できる。
【符号の説明】
【００１６】
１０      位牌
１１      札板
１２      台座
１３      ウエイト部材
１４      つなぎ部
【図１】
0003153205.tif 000003
【図２】
0003153205.tif 000004
【図３】
0003153205.tif 000005
(57)【要約】      （修正有）【課題】屋内用と屋外用を区別して使用できる杖を提供する。【解決手段】親杖１と子杖２を締付具３を用いて固定する。屋外では締付具３を締めたまま取手４を執り、屋内では締付具３を緩めて子杖２を取り出し、取手５を執り歩行する。【選択図】図１
0003153266.tif 000002
【実用新案登録請求の範囲】
本案は、親杖１と子杖２の２個の杖から成り、子杖２の胴の長さは、親杖１の胴の長さより少し短くし、両者の胴は締付具３で着脱自在に固定する。胴の上部には把握部４、５を設け、胴の下部には緩衝ゴム６、７を設けた親子杖である。（請求項１）
【考案の詳細な説明】
考案の詳細な説明
高齢者・身障者が現在使用している杖は、屋外で使用するものとして作られている。日本人の生活様式では、畳の部屋での杖の使用は遠慮するのが常識である。本案は、畳の部屋でも遠慮なく使用できる杖を提供するものである。
図面について説明すると、屋外で使用するときは第２図の親子杖を使用し、把握部４、５を手で持って歩行する。
屋内で使用するときは、第２図の親子杖の締付具３を弛めて胴を２の子杖、１の親杖に分離する。
分離した２の子杖を取り出し、図示すると第３図のようになる。この子杖の５の把握部を手で持ち、屋内を歩行する。
なお、屋外用と屋内用の混用を避けるために、必要に応じて（イ）胴に色彩を施し屋内用・屋外用を区別する。（請求項２）（ロ）胴を持つときの感触が異なるように胴に凹凸をつけ区別する。（請求項３）
【図面の簡単な説明】  第１図は親子杖の正面図
第２図は親子杖の右側面図  （屋外用）
第３図は子杖の側面図  （屋内用）
0003153266.tif 000003
0003153266.tif 000004
0003153266.tif 000005
【手続補正書】
【提出日】平成21年3月6日(2009.3.6)
【手続補正１】
【補正対象書類名】実用新案登録請求の範囲
【補正対象項目名】全文
【補正方法】変更
【補正の内容】
【実用新案登録請求の範囲】
【請求項１】
0003153266.tif 000006
り、親杖と子杖を組み合わせて屋外用の杖とし、屋内用の杖は、親杖から分離した子杖を使用する
0003153266.tif 000007
【請求項２】
親杖と子杖の胴体に夫々異なる色彩を施し、屋外用・屋内用が視覚により、容易に認識できるようにした〔請求項１〕の親子杖。
【請求項３】
親杖と子杖の胴体に夫々異なる凹凸等を付け、触覚により屋外用か屋内用か容易に判別できるようにしした、〔請求項１〕の親子杖。
【手続補正２】
【補正対象書類名】明細書
【補正対象項目名】全文
【補正方法】変更
【補正の内容】
【考案の詳細な説明】
【考案の詳細な説明】
高齢者・身障者が現在使用している杖は、屋外で使用するものとして作られている。日本人の生活様式では、屋内の畳の部屋での杖の使用は遠慮するのが常識である。本案は屋内の畳の部屋でも遠慮なく使用できる杖を提供しようとするものである。
図面について説明すると、１は親杖、２は子杖、３は親杖と子杖の胴体を固定する締付具である。
0003153266.tif 000008
衝ゴム、７は子杖の緩衝ゴムである。
屋外で親子杖を使用するときは、〔図１〕の３の締付具を締め付けたままで、４の取手を執り歩行する。
屋内で親子杖を使用するときは、〔図１〕の３の締付具を緩め子杖２を取り出し、５の取手を執り歩行する。
【図面の簡単な説明】
【図１】  親子杖の正面図  （屋外用）
【図２】  親子杖の右側面図
【図３】  子杖の正面図  （屋内用）
【手続補正３】
【補正対象書類名】図面
【補正対象項目名】全図
【補正方法】変更
【補正の内容】
【図１】
0003153266.tif 000009
【図２】
0003153266.tif 000010
【図３】
0003153266.tif 000011
(57)【要約】      （修正有）【課題】無料でコピー用紙を企業、商店、官公庁、学校等に配布できるようにするための無料広告付コピー用紙を提供する。【解決手段】企業主からの広告料でコピー用紙の裏面に企業広告を印刷することにより、各企業、商店、官公庁、学校等でコピー用紙を無料で使用することにより、経費を削減し資源の無駄をなくすことができるようになる無料広告付コピー用紙である。【選択図】図１
0003153263.tif 000002
【実用新案登録請求の範囲】
【請求項１】
現在コピーをする場合、コピーのカウンター料金とトナー料金とコピー用紙代が掛かっているが、コピー用紙の裏面に企業広告等を印刷しておくことによって、コピー用紙を無料で企業、商店、官公庁、学校等に配布するものである。
広告主の企業にとっても不特定多数の人達に繰り返し見てもらったり、捨てずに保管してもらったりするので広告価値が高いものとなる。
【考案の詳細な説明】
【技術分野】
【０００１】本考案は、コピー用紙の裏面に企業広告等を印刷することにより、無料でコピー用紙を企業、商店、官公庁、学校等に配布するものである。
【背景技術】
【０００２】従来、コピーをする場合カウンター料金とトナー代、コピー用紙代が掛かっていた。
【考案の開示】
【考案が解決しようとする課題】
【０００３】現在、コピーをする場合カウンター料金とトナー代、コピー用紙代が掛かり、社内で使う書類等のコピー用紙代を無料にすることにより、毎月の経費を節約することが出来る。
【課題を解決するための手段】
【０００４】本考案は、コピー用紙を無料で提供することにより経費を削減しようとするものであるが、コピー用紙を無料で提供する方法として、広告主より広告費を支払ってもらい裏面に企業広告を印刷することにより、企業、商店、官公庁、学校等に無料でコピー用紙を配布するものである。
【考案の効果】
【０００５】現在、紙代が高騰しており各企業や自治体においてもコピーに掛かる費用を削減しようとしている最中であり、コピー用紙が無料で使えることにより経費の削減に役立つことになる。
また、広告掲載企業においては、従来の新聞折込では捨てられてしまったり、若い人の新聞購読の減少などにより宣伝効果が薄れているが、コピー用紙の裏面広告では捨てられずに保存したり、繰り返し見てもらったりすることが出来、新しい宣伝方法として取り入れてもらえることになる。
【考案の実施するための最良の形態】
【０００６】新しい広告方法として各企業より広告を発注してもらい、コピー用紙の裏面に一色、二色またはカラー印刷をし、配布希望先の企業、商店、官公庁、学校等へ配布することにより、捨てられることなく繰り返し見てもらえることによる宣伝効果を得ることが出来る。
また、配布先企業では無料でコピー用紙を手に入れることが出来、経費を削減することが出来る。
【実施例】
【０００７】以下、添付図面に従って実施例を説明する。
▲１▼は従来の両面白紙のコピー用紙である。
▲２▼は裏面に一色印刷したコピー用紙である。
▲３▼は裏面にカラー印刷したコピー用紙である。
▲１▼の両面白紙のコピー用紙に▲２▼や▲３▼のように裏面に印刷することにより、コピーするたびに宣伝効果を得ることができる。
また、配布先企業では裏面に広告が印刷されているが、表面はコピー用紙として使用できるため、経費の削減をすることが出来る。
【図面の簡単な説明】
【０００８】
【図１】本考案の無料広告付コピー用紙の実施例を示す図である。
【符号の説明】
【０００９】▲１▼両面白紙のコピー用紙
▲２▼裏面に一色印刷したコピー用紙
▲３▼裏面にカラー印刷したコピー用紙
【図１】
0003153263.tif 000003
【手続補正書】
【提出日】平成20年11月27日(2008.11.27)
【手続補正１】
【補正対象書類名】実用新案登録請求の範囲
【補正対象項目名】全文
【補正方法】変更
【補正の内容】
【実用新案登録請求の範囲】
【請求項１】
両面白紙の構造を有するコピー用紙の裏面に、企業広告を有料で印刷することによって、無料で配布することの出来る、片面のみコピー用紙の構造を有する無料広告付コピー用紙。
【手続補正２】
【補正対象書類名】図面
【補正対象項目名】全図
【補正方法】変更
【補正の内容】
【図１】
0003153263.tif 000004
(57)【要約】      （修正有）【課題】液体をこぼすことによる故障を防止することができるノートパソコンを提供する。【解決手段】機械式入力キーボードの代わりに、液晶タッチパネル入力キーボードを備える。【選択図】図２
0003153268.tif 000002
【実用新案登録請求の範囲】
【請求項１】
ノートパソコンのこれまでの機械式入力キーボードに変えて、タッチパネル入力キーボードを取り付けた。
【考案の詳細な説明】
【技術分野】
【０００１】
【背景技術】
【０００２】これまでノートパソコンのキーボードは機械式入力によるものであった。
【考案の概要】
機械式入力キーボードに変えタッチパネルを使用したキーボード
【考案が解決しようとする課題】  キートップの脱落防止、コーヒー、お茶など液体をこぼす事による故障防止
【課題を解決するための手段】キートップは使用しない、フラット面により防水加工が容易である。
【考案の効果】ソフトウエアにより、各国語のキーボードに対応できる、
【図面の簡単な説明】従来のキーボードに変わりタッチパネルが付いている
【図１】従来のノートパソコン
【図２】従来のキーボードに替え、タッチパネルを取り付けたノートパソコン
【図１】
0003153268.tif 000003
【図２】
0003153268.tif 000004
【手続補正書】
【提出日】平成21年3月25日(2009.3.25)
【手続補正１】
【補正対象書類名】実用新案登録請求の範囲
【補正対象項目名】全文
【補正方法】変更
【補正の内容】
【実用新案登録請求の範囲】
【請求項１】
従来のノートパソコンのキーボードを、液晶タッチパネルに換えたノートパソコン。
【手続補正２】
【補正対象書類名】明細書
【補正対象項目名】０００１
【補正方法】変更
【補正の内容】
【０００１】ノートパソコン
【手続補正書】
【提出日】平成21年6月9日(2009.6.9)
【手続補正１】
【補正対象書類名】実用新案登録請求の範囲
【補正対象項目名】全文
【補正方法】変更
【補正の内容】
【実用新案登録請求の範囲】
【請求項１】
ノートパソコンの機械式入力キーボードに、代わり、液晶タッチパネル式入力キーボードがついた、ノートパソコン。
(57)【要約】      （修正有）【課題】電子レンジで加熱後、素手による取出しを可能とする陶磁器製や陶器製の丼を提供する。【解決手段】電子レンジで使用可能な陶磁器製や陶器製の丼１の外側側面１ａに取っ手１ｂを焼成により接着する。該取っ手は、電子レンジで加熱後、該丼を取出す際に丼本体に手が触れないように、取っ手と丼本体の間に距離を置いて形成する。また、焼成時に、取っ手部分にゆがみが生じないように、その下部に支え１ｃを作成する。【選択図】図１
0003153264.tif 000002
【実用新案登録請求の範囲】
【請求項１】
陶磁器製や陶器製の丼の外側側面に、取っ手を少なくとも１つ以上接着したことを特徴とした丼。
【請求項２】
上記の内側側面に、少なくとも１つ以上の刻設を行ったことを特徴とする。
請求項１に記載の陶磁器製品や陶器製品。
【考案の詳細な説明】
【技術分野】
【０００１】  本考案は、主としてプラスチックの蓋がついた、電子レンジ使用可能な陶磁器製や陶器製の丼の外側側面に、取っ手を少なくとも１つ以上焼成による接着を行い、その取っ手部分と本体との熱伝導率を下げるように作った。又、内側側面にお湯や水を入れる際に目安となる刻設を、少なくとも１つ以上の行った電子レンジ使用可能な陶磁器製や陶器製の丼に関する。
【背景技術】
【０００２】  従来のプラスチックの蓋がついた電子レンジ使用可能な陶磁器製や陶器製の丼は、電子レンジで食材の温めの際に、丼本体が食材と共に熱くなり電子レンジから取り出す際、困難だった。又、電子レンジで食材の調理を行う際、お湯又は、水などの目安が分かり辛かった。
【考案の開示】
【考案が解決しようとする課題】
【０００３】  従来のプラスチックの蓋がついた電子レンジ使用可能な陶磁器製や陶器製の丼は、電子レンジで食材の温めの際に、丼本体が食材と共に熱くなり電子レンジから取り出す際、困難だった。そのため、ミトンなどを使用し、直接熱が手に伝わらないようにして、取り出さなければならなかった。又、電子レンジで食材の調理を行う際、具材、お湯又は、水などの目安が分かり辛かった。
【課題を解決するための手段】
【０００４】  本考案は、主としてプラスチックの蓋がついた、電子レンジ使用可能な陶磁器製や陶器製の丼の外側側面に、取っ手を少なくとも１つ以上焼成による接着を行い、その取っ手部分と本体との熱伝導率を下げるように作った。又、内側側面にお湯や水を入れる際に目安となる刻設を、少なくとも１つ以上の行った食器である。
【考案の効果】
【０００５】  プラスチックの蓋がついた、電子レンジ使用可能な陶磁器製や陶器製の丼の外側側面に、取っ手を少なくとも１つ以上焼成による接着を行い、その取っ手部分と本体との熱伝導率を下げるように作った。そのため、電子レンジ使用可能な陶磁器製や陶器製の丼を電子レンジで加熱後、素手による取り出しが可能となった。又、内側側面にお湯や水を入れる際に目安となる刻設を、少なくとも１つ以上の行ったために、計量器など使わずに調理することが出来た。
【考案を実施するための最良の形態】
【０００６】  本実施例で、電子レンジで使用可能な陶磁器製や陶器製の丼の外側側面に、取っ手を焼成による接着を行う際、出来る限り取っ手と丼本体との距離を置き、直接本体に手が触れないように石膏型を作成した。石膏型を作る際、焼成時に、ゆがみが発生しないよう、取っ手の下部に支えを用いるように作成し焼成時のゆがみを解消した。又、内側の刻設部分は、石膏型より丼本体を取り出す際、困難にならないような角度を付け石膏型を作成した。【０００７】  本考案に係る一実施例を、図１と図２を参照して以下説明する。
【実施例】
【０００８】  本実施例では、図１に図示する如く、陶磁器製や陶器製の丼１の外側側面１ａに出来るだけ丼本体に手が触れないように距離を置いた取っ手１ｂを付けた説明図である。又、１ｃは、その取っ手を焼成段階でのゆがみを抑えるための突起させた部分である。
図２は、電子レンジで使用可能な丼１の内側側面に、お湯や水を入れる際の目安となる刻設部分２ａを説明した図である。
【産業上の利用分野】
本考案に係る食器は、プラスチックの蓋が取り付けられているので、食材の保存にも用いることがでる。又、取っ手の突起させた部分により、テーブルなどとの設置部分が、丼本体の底面と、突起部分と二箇所になるため、安定性が良くなり、手が不自由な方や、幼児などにも安心を与える食器となった。
【図面の簡単な説明】
【０００９】
【図１】本考案に係る一実施例の丼、外側側面を示す図である。
【図２】本実施例の丼内側側面を示す図である。
【符号の説明】
【００１０】１    丼
１ａ  食器の外側側面
１ｂ  取っ手
２ａ  内側側面刻設部分
【図１】
0003153264.tif 000003
【図２】
0003153264.tif 000004
【手続補正書】
【提出日】平成21年1月30日(2009.1.30)
【手続補正１】
【補正対象書類名】実用新案登録請求の範囲
【補正対象項目名】全文
【補正方法】変更
【補正の内容】
【実用新案登録請求の範囲】
【請求項１】
陶磁器製や陶器製の丼の外側側面に、取っ手を少なくとも１つ以上接着したことを特徴とする。
【請求項２】
陶磁器製や陶器製の丼の内側側面に、少なくとも１つ以上の刻設を行ったことを特徴とする。
【手続補正書】
【提出日】平成21年4月1日(2009.4.1)
【手続補正１】
【補正対象書類名】実用新案登録請求の範囲
【補正対象項目名】全文
【補正方法】変更
【補正の内容】
【実用新案登録請求の範囲】
【請求項１】
陶磁器製や陶器製の丼の外側側面に、取っ手を少なくとも１つ以上接着したことを特徴とする丼。
【請求項２】
陶磁器製や陶器製の丼の内側側面に、少なくとも１つ以上の溝の刻設を行ったことを特徴とする。
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
陶磁器製や陶器製の丼の外側側面に、取っ手を少なくとも１つ以上接着したことを特徴とする丼。
【請求項２】
陶磁器製や陶器製の丼の内側側面に、少なくとも１つ以上の溝の刻設を行ったことを特徴とする丼。
(57)【要約】      （修正有）【課題】回転方向を視覚的に表示する発光ダイオード付きタービン式直流発電機を提供する。【解決手段】直流発電機Ｇ１の第１の電極Ｐ１に第１の発光ダイオードＤ１の＋極を接続し、直流発電機Ｇ１の第２の電極Ｐ２に第１の発光ダイオードＤ１の−極を接続し、直流発電機Ｇ１の第１の電極Ｐ１に第２の発光ダイオードＤ２の−極を接続し、直流発電機Ｇ１の第２の電極Ｐ２に第２の発光ダイオードＤ２の＋極を接続することで、タービンＴ１の回転方向により、異なる発光ダイオードが点灯する発光ダイオード付きタービン式直流発電機を構成する。【選択図】図１
0003153226.tif 000002
【実用新案登録請求の範囲】
【請求項１】
発光ダイオード付きタービン式直流発電機において、直流発電機Ｇ１の第１の電極Ｐ１に第１の発光ダイオードＤ１の＋極を接続し、直流発電機Ｇ１の第２の電極Ｐ２に第１の発光ダイオードＤ１の−極を接続し、直流発電機Ｇ１の第１の電極Ｐ１に第２の発光ダイオードＤ２の−極を接続し、直流発電機Ｇ１の第２の電極Ｐ２に第２の発光ダイオードＤ２の＋極を接続したことを特徴とする発光ダイオード付きタービン式直流発電機。
【考案の詳細な説明】
【技術分野】
【０００１】
本考案は、発光ダイオード付きタービン式直流発電機に関するものである。
【背景技術】
【０００２】
タービン式直流発電機は、風や水流など流体の動きによって、電圧および電流を生じさせる直流発電機である。発電した電圧または電流を確認するため、タービン式直流発電機に発光ダイオードなどの表示灯を取り付けることがあった。
【０００３】
図２は、従来の発光ダイオード付きタービン式直流発電機の一例を示す回路図である。この回路は、発電によって発光ダイオードが点灯する回転方向と、発電を確認できない回転方向があった。
【０００４】
具体例を挙げると、教材または玩具としての発光ダイオード付きタービン式直流発電機がある。このような発光ダイオード付きタービン式直流発電機は、回転と発電に相関関係があることを表示し、発電の仕組みを学習するものである。従来の発光ダイオード付きタービン式直流発電機では、一方の回転方向の発電を確認できるが、逆方向の回転方向によって逆の極性の電圧が発生することを表示することは出来なかった。
【０００５】
結果として、発光ダイオード付きタービン式直流発電機は、風や水流など流体の動きの強さを表示する発光ダイオード付きタービン式直流発電機として用いられてきた。
【先行技術文献】
【特許文献】
【０００６】
【特許文献１】実開平２‐３０９７３
【考案の概要】
【考案が解決しようとする課題】
【０００７】
解決しようとする問題点は、発光ダイオード付きタービン式直流発電機において、発電機の回転方向と発電極性の関係を表示していなかったことである。
【課題を解決するための手段】
【０００８】
本考案の発光ダイオード付きタービン式直流発電機は、直流発電機Ｇ１の第１の電極Ｐ１に第１の発光ダイオードＤ１の＋極を接続し、直流発電機Ｇ１の第２の電極Ｐ２に第１の発光ダイオードＤ１の−極を接続し、直流発電機Ｇ１の第１の電極Ｐ１に第２の発光ダイオードＤ２の−極を接続し、直流発電機Ｇ１の第２の電極Ｐ２に第２の発光ダイオードＤ２の＋極を接続したことを特徴とする。
【考案の効果】
【０００９】
本考案の発光ダイオード付きタービン式直流発電機は、直流発電機の回転方向と発電電圧の極性の関係をわかりやすく表示することができる。
【図面の簡単な説明】
【００１０】
【図１】本考案の発光ダイオード付きタービン式直流発電機の基本回路図である。
【図２】従来の発光ダイオード付きタービン式直流発電機の基本回路図である。
【図３】本考案の発光ダイオード付きタービン式直流発電機の実施例である。
【考案を実施するための形態】
【００１１】
図１は、発光ダイオード付きタービン式直流発電機の基本回路図である。
【００１２】
直流発電機Ｇ１がある方向に回転すると第１の発光ダイオードＤ１が点灯し、第２の発光ダイオードＤ２は消灯する。直流発電機Ｇ１が前記と逆方向に回転すると第２の発光ダイオードＤ２が点灯し、第１の発光ダイオードＤ１は消灯する。
【実施例１】
【００１３】
図３は、本考案の発光ダイオード付きタービン式直流発電機の実施例である。見やすくするため、タービンＴ１を透明で示している。この実施例では、１つの表示器Ｌ１の中に第１の発光ダイオードＤ１としての赤色発光ダイオードと第２の発光ダイオードＤ２としての青色発光ダイオードが内蔵されている。
この実施例による発光ダイオード付きタービン式直流発電機を用いると、使用者が回転方向による発電電圧の極性の違いを視覚で認識することができる。特に、教材や玩具として用いると、前記特性により高い学習効果が期待できる有用な技術である。
【００１４】
また、装飾用として用いると、流体の流れる方向や流れる強さに対応した光の明滅が見られるため、独特の美観をもたらすことが出来る。
【符号の説明】
【００１５】
Ｔ１    タービン
Ｇ１    直流発電機
Ｐ１    直流発電機の第１の電極
Ｐ２    直流発電機の第２の電極
Ｄ１    第１の発光ダイオード
Ｄ２    第２の発光ダイオード
Ｌ１    表示器
【図１】
0003153226.tif 000003
【図２】
0003153226.tif 000004
【図３】
0003153226.tif 000005